(57)【要約】【課題】  抱っこ又はおんぶされた乳幼児に対し、夏期では日除け、虫除けできるようにする。【解決手段】  下側部にポケット１９ａ，１９ｂを形成し且つ左右両側部の後側に素材折り返し部２０により空間部１６を形成した虫除け用覆いネット１３を、日除け用フード１４に組み付けて用いるようにする。日除け用フード１４の両端側に固定した２本の吊り紐３２に取り付けたホック体３４ａ，３４ｂと、虫除け用覆いネット１３に取り付けたホック体２１ａ，２１ｂとを係合させる。又、日除け用フード１４の両端部に取り付けた腰ベルト２３を、虫除け用覆いネット１３の左右両側部に設けたベルト通し孔２４に通して外側へ出す。上記吊り紐３２を大人の首にかけ、腰ベルト２３を大人の腰に締め付けることにより、虫除け用覆いネット１３と日除け用フード１４を一体として装着できる。【選択図】図１
0003115561.tif 000002
【実用新案登録請求の範囲】
【請求項１】
抱っこ又はおんぶされている乳幼児の両足を入れるポケットを形成し且つ該ポケットの上方部に空間部を形成して周縁部を伸縮できるようにした覆い本体と、両端部から中央部分へ向けて幅広となるようにして両端部を、乳幼児を抱っこ又はおんぶする大人の腰に当てるようにし且つ両端側に吊り紐を備えて覆い本体と着脱可能に一体化できるようにしたフードとを備え、覆い本体とフードを上記大人の体に支持させるようにしたことを特徴とする乳幼児の抱っこ用又はおんぶ用覆い。
【請求項２】
覆い本体の左右両側部に、該左右両側部同士を留めることができるようにした係止具を取り付け、フードの両端側に各一端を固定して備えた吊り紐にそれぞれ係止具を取り付け、該吊り紐の係止具と上記覆い本体の係止具とを係止させ、且つ上記フードの両端部に取り付けた腰ベルトを、覆い本体の左右両側部を通して外側へ出すようにした請求項１記載の乳幼児の抱っこ用又はおんぶ用覆い。
【請求項３】
フードの両端部に、後方へ湾曲させて突出させるようにした金属製の線材の両端部を取り付け、該線材を乳幼児と覆い本体との間に位置させるようにした請求項１又は２記載の乳幼児の抱っこ用又はおんぶ用覆い。
【請求項４】
フードを展張状態に保持したり、該展張状態から前後方向に折り畳みできるようにした請求項１、２又は３記載の乳幼児の抱っこ用又はおんぶ用覆い。
【請求項５】
覆い本体を、やわらかくて細かい網目を有する素材からなる虫除け用覆いネットとし、フードを、通気性を有する素材からなる日除け用フードとした請求項１、２、３又は４記載の乳幼児の抱っこ用又はおんぶ用覆い。
【考案の詳細な説明】
【技術分野】
【０００１】
本考案は、乳幼児を抱っこ又はおんぶして外出するときに乳幼児を包み込むようにする抱っこ用又はおんぶ用の覆いに関するもので、詳しくは、素材を替えることにより虫除け、日除け用とすることができたり、防寒用とすることができるようにした乳幼児の抱っこ用又はおんぶ用覆いに関するものである。
【背景技術】
【０００２】
乳幼児を抱っこ紐で抱っこしたり、あるいは、おんぶ紐でおんぶした状態で外出する際、特に、外気が冷たい冬期や肌寒さを感じる日等では、抱っこ又はおんぶしている乳幼児を、冷たい外気から守ることが必要であり、そのための対策はこれまで採られて来ており、種々のものが提案されている。一方、暑い時期で且つ蚊等の虫が出るような季節では、日中の強い日射しから乳幼児を守るようにしたり、虫に刺されないように守ってやることが望まれるが、これまでに、抱っこしたり、あるいはおんぶしている乳幼児に対し日除けや虫除けをするようにしたものとして特に工夫したものはない。
【０００３】
上記寒い時期に乳幼児を冷たい外気から守るようにしたものとしては、図７に一例を示すようにしたものが提案されている。
【０００４】
すなわち、キルティング等の保温性の高い生地、綿等吸水性の高い生地で形成した亀の甲本体１の下端側の裾部分１ａを内側へ一様に折り返して袋状とし、且つ該亀の甲本体１の上端側に、同一素材の衿部２を備えると共に、左右の両端側に、ループ状にした吊り紐３を取り付けると共に、絞り込み用の紐４を左右対称的に取り出すようにしてある。更に、上記衿部２側の表面には、フード５を取外し可能に取り付けるようにするためのストロングホック６を取り付け、又、上記亀の甲本体１の左右両側部には、紐７を取り付けた構成としてある。これにより、乳幼児を抱っこ紐で抱いた状態で、抱っこ紐の前側部分に取り付けたくるみボタンに、吊り紐３を係止して、亀の甲本体１を乳幼児の背面側に掛けるようにする。次いで、絞り込み用の紐４を止め具８をずらすことにより絞り込むようにして亀の甲本体１を乳幼児の肩にかけるようにすると共に、裾部分１ａに乳幼児の足を入れ、更に、ストロングホック６にフード５を取り付け、紐７を引張って乳幼児を抱く人の腰に巻き付けるようにすることにより、乳幼児を全体的に包み込むようにしたものが提案されている（たとえば、特許文献１参照）。
【０００５】
又、同様に、図８（イ）（ロ）に示す如く、乳幼児を抱っこする際に防寒を目的として、乳幼児の体を隙間なく包み込むようにするため、足ポケット９を折り曲げ形成したおくるみ１０の左右両側の上端部を上方へ延ばし、該上方へ延ばした一方の延長部と他方の延長部を抱く人の首の後で係止具１１にて止めるようにし、首から吊るすようにして乳幼児の体をおくるみ１０で包み込むようにし、更に、外側に帽子１２を取り付けてなるものも提案されている（たとえば、特許文献２参照）。
【０００６】
【特許文献１】実用新案登録第３０１１６３９号公報
【特許文献２】特開２００２−１１９３９２号公報
【考案の開示】
【考案が解決しようとする課題】
【０００７】
ところが、特許文献１に記載のものは、亀の甲本体１の上端部を絞り込むためには、両側の絞り込み用の紐４に沿い止め具８をずらす動作をして絞り込むことが必要であり、手間がかかり面倒である。又、フード５は、亀の甲本体１の外側のストロングホック６に取り付けて、使用時には、外側からフード５を持ち上げて乳幼児の頭に被せるようにするものであり、亀の甲本体１の左右両側部とフード５との間には隙間が生じるおそれがある。
一方、特許文献２に記載のものも、おくるみ１０の上端部の外側に、帽子１２が取り付けられているもので、帽子１２を使用するときに、帽子１２とおくるみ１０の上端部との間に隙間が生じるおそれがある。そのため、特許文献１に記載されている亀の甲本体１や、特許文献２に記載されているおくるみ１０を、乳幼児を抱っこするときの虫除けに使用しようとしても、虫除けにはならず、したがって、蚊等が多い時期に使用することには適さないものである。
【０００８】
そこで、本考案は、乳幼児を抱っこしたり、おんぶしたときに夏期であれば、虫の侵入を防止できるようにして虫除けとして最適なものとすると共に、素材の変更で防寒用とすることもできる乳幼児の抱っこ用又はおんぶ用覆いを提供しようとするものである。
【課題を解決するための手段】
【０００９】
本考案は、上記課題を解決するために、抱っこ又はおんぶされている乳幼児の両足を入れるポケットを形成し且つ該ポケットの上方部に空間部を形成して周縁部を伸縮できるようにした覆い本体と、両端部から中央部分へ向けて幅広となるようにして両端部を、乳幼児を抱っこ又はおんぶする大人の腰に当てるようにし且つ両端側に吊り紐を備えて覆い本体と着脱可能に一体化できるようにしたフードとを備え、覆い本体とフードを上記大人の体に支持させるようにした構成とし、具体的には、覆い本体の左右両側部に、該左右両側部同士を留めることができるようにした係止具を取り付け、フードの両端側に各一端を固定して備えた吊り紐にそれぞれ係止具を取り付け、該吊り紐の係止具と上記覆い本体の係止具とを係止させ、且つ上記フードの両端部に取り付けた腰ベルトを、覆い本体の左右両側部を通して外側へ出すようにした構成とする。
【００１０】
又、上記構成において、フードの両端部に、後方へ湾曲させて突出させるようにした金属製の線材の両端部を取り付け、該線材を乳幼児と覆い本体との間に位置させるようにしたり、フードを折り畳みできるようにする。
【００１１】
更に、覆い本体を、やわらかくて細かい網目を有する素材からなる虫除け用覆いネットとし、フードを、通気性を有する素材からなる日除け用フードとした構成とする。
【考案の効果】
【００１２】
本考案の乳幼児の抱っこ用又はおんぶ用覆いによれば、次の如き優れた効果を奏し得る。 
（１）抱っこ又はおんぶされている乳幼児の両足を入れるポケットを形成し且つ該ポケットの上方部に空間部を形成して周縁部を伸縮できるようにした覆い本体と、両端部から中央部分へ向けて幅広となるようにして両端部を、乳幼児を抱っこ又はおんぶする大人の腰に当てるようにし且つ両端側に吊り紐を備えて覆い本体と着脱可能に一体化できるようにしたフードとを備え、覆い本体とフードを上記大人の体に支持させるようにした構成としてあるので、覆い本体とフードを一体にしたもので乳幼児を包み込むことができ、しかも、覆い本体は、周縁部を伸縮できるようにしてあることから、収縮力により覆い本体を丸くすることができて、乳幼児と大人との間に覆い本体の下端側の周辺部が入り込むようになり、乳幼児を包み込むことができる。又、フードは両端部が大人の腰に当てることから、安定させることができる。 
（２）覆い本体の左右両側部に、該左右両側部同士を留めることができるようにした係止具を取り付け、フードの両端側に各一端を固定して備えた吊り紐にそれぞれ係止具を取り付け、該吊り紐の係止具と上記覆い本体の係止具とを係止させ、且つ上記フードの両端部に取り付けた腰ベルトを、覆い本体の左右両側部を通して外側へ出すようにした構成とすることにより、フードと覆い本体を一体として大人に支持させることができて、覆い本体の上端側の左右両側部は大人の肩の方へ引き寄せることができると共に、覆い本体の下側の左右両側部は腰ベルトで押えることができ、乳幼児を全面にわたり覆うことができる。
（３）フードの両端部に、後方へ湾曲させて突出させるようにした金属製の線材の両端部を取り付け、該線材を乳幼児と覆い本体との間に位置させるようにした構成とすることにより、線材を乳幼児の外側に位置させて、覆い本体と乳幼児との間に所要の隙間を形成させることができる。 
（４）フードを折り畳みできるようにすることにより、使用中にフード部を開放することができ、又、不使用時は折り畳んでコンパクトにすることができて、持ち運びを容易に行うことができると共に、収納に広いスペースを必要としなくてすむ。 
（５）覆い本体を、やわらかくて細かい網目を有する素材からなる虫除け用覆いネットとし、フードを、通気性を有する素材からなる日除け用フードとした構成とすることにより、蚊等の虫が多い暑い時期に、乳幼児を暑さから守ることができると共に、虫の侵入も防止して虫に刺されることなく守ることができる。
【考案を実施するための最良の形態】
【００１３】
以下、図面に基づき本考案を実施するための最良の形態を説明する。
【００１４】
図１乃至図６は本考案の実施の一形態として虫除け、日除け用の覆いとしたものを示すもので、覆い本体としての虫除け用覆いネット１３とフードとしての日除け用フード１４とからなる構成として、日除け用フード１４に虫除け用覆いネット１３を沿わせて着脱可能に組み付け、抱っこされた乳幼児又はおんぶされた乳幼児を、虫除け用覆いネット１３と日除け用フード１４とで包み込むことができるようにする。
【００１５】
以下、詳述する。
【００１６】
上記虫除け用覆いネット１３は、通気性を有し且つ蚊等が入り込まないような細かい網目に織ってある蚊帳あるいはカーテン生地製のやわらかい素材により、左右両側部と下端部を後側から内側へ折り曲げるようにして、空間部を形成するようにすると共に、下側の空間部の中央付近を引き上げて左右に足ポケット９を形成させるようにする。すなわち、上記素材を、抱っこ又はおんぶされている乳幼児を余裕をもって包み込めるような長さ及び幅を有するように矩形状（たとえば、長さ１３０ｃｍ×幅１００ｃｍ）に裁断し、長辺となる左右方向に延びる上端辺と下端辺のうち、上端辺の辺縁部を、シャーリングテープ１５を僅かに引張った状態で縫い付けることにより或る程度の収縮力を持たせるようにし、一方、短辺側となる左右両端部の上下方向に延びる左右の辺縁部と下端辺縁部に、シャーリングテープ１５を強く引張った状態で一連に縫い付けて、三辺が大きい収縮力を有するようにし、全体を左右両側部及び下側部が後側へ折り曲げられてから更に内側に折り返されて後側の中央部が上方へ開放した形状として、周辺部の左右と下部に空間部１６と１７が形成された袋形状となるようにする。更に、下側部の空間部１７は、中央部付近の素材を引き上げて素材の表部分に糸１８で縫い合わせることにより固定して左右に分割し、左右のポケット１９ａ，１９ｂを形成させるようにする。又、左右のポケット１９ａ，１９ｂは、素材折り返し部２０に、シャーリングテープ１５を引張りながら縫い付けて、ポケット１９ａ，１９ｂがシャーリングテープ１５の部分で伸縮できるようにする。
【００１７】
更に、上記虫除け用覆いネット１３には、左右両側部の素材折り返し部２０の上端側位置に、係止具としてのホックを構成する雄側又は雌側ホック体２１ａと雌側又は雄側ホック体２１ｂを、素材折り返し部２０の内側へ向くように取り付けると共に、中央部分の上端位置の裏面側に、日除け用フード１４に取り付ける面ファスナに係止させるために面ファスナ２２を取り付け、又、左右両側部の素材折り返し部２０の所要個所に、日除け用フード１４に取り付けられる後述する腰ベルト２３を通すためのベルト通し孔２４を左右対称的に設けた構成としてある。
【００１８】
一方、上記日除け用フード１４は、図１及び図３乃至図５に示す如く、可撓性を有する金属製又は樹脂製の帯状部材２５ａを半円状に折り曲げて形成したフレーム２５と、上記帯状部材２５ａよりも長い同一材質の帯状部材２６ａを、上記フレーム２５と同一幅で円弧形状に折り曲げて形成した大きいフレーム２６と、たとえば、通気性を有するシースルー素材を両端部から中央部分へ向けて幅広となるように裁断すると共に、ＵＶカットを施こして、幅方向の端縁部を上記フレーム２５と２６に取り付けるようにしたフード体２７とからなり、該フード体２７の幅方向の端縁部をフレーム２５と２６にそれぞれ取り付けると共に、上記一方のフレーム２５の両端部と他方のフレーム２６の両端部を重ね合わせて連結ピン２８にて連結した構成としてあり、フレーム２５と２６が相対的に連結ピン２８を中心に回動することにより、フード体２７が展張されたり、折り畳まれたりできるようにしてある。更に、上記日除け用フード１４には、上記連結ピン２８を利用して、球状押付部材２９を対向するよう内向きに左右対称的に取り付け、且つ上記左右の連結ピン２８の近傍位置には、乳幼児の体の外側に位置させるように乳幼児の体に合わせて湾曲させた金属製の線材（針金）３０の両端を取り付けると共に、前記した腰ベルト２３の端がそれぞれ取り付けてある。該腰ベルト２３は、左右のいずれか一方又は双方を長さ調節可能なものとして、端部にバックル３１を有し、乳幼児を抱いたり、おんぶする人（以下、大人という）の腰に巻くことができるようにしてある。
【００１９】
又、上記日除け用フード１４におけるフレーム２５の内側には、図１、図４に示す如く、左右両側部に１本ずつの吊り紐３２の一端を取り付け、該両吊り紐３２の各他端側を、長さ調節可能な結び具３３で結ぶようにしてループ状にし、上記球状押付部材２９を該大人の腰骨の上に当接させて固定した状態で吊り紐３２を、乳幼児を抱いている大人の首にかけて長さを調節することにより、日除け用フード１４を吊り下げ支持できるようにする。上記各吊り紐３２のうち、一方の吊り紐３２には、たとえば、フレーム２５に固定した一端側の位置に、前記した虫除け用覆いネット１３に取り付けた雄側又は雌側ホック体２１ａに対応する雌側又は雄側ホック体３４ａを取り付けると共に、他方の吊り紐３２には、一方の吊り紐３２へのホック体３４ａの取付位置と同じような位置に、虫除け用覆いネット１３に取り付けられた雌側又は雄側ホック体２１ｂに対応する雄側又は雌側ホック体３４ｂを取り付け、上記各ホック体３４ａと３４ｂを、虫除け用覆いネット１３のホック体２１ａと２１ｂに係止させて留めることにより、吊り紐３２を介して虫除け用覆いネット１３が大人の肩の方向へ引き寄せられるようにしてある。
【００２０】
３５はシースルー素材製のフード体２７の外表面に前後方向へ延びるように取り付けた面ファスナで、虫除け用覆いネット１３に取り付けた面ファスナ２２を任意の位置で係止させることができるようにしてある。３６は日除け用フード１４を展張した状態に保持したり、二つ折り状態に折り畳むことができるようにするロック用治具で、該治具３６を直線状に伸ばすことにより、日除け用フード１４を展張した状態に保持でき、又、該治具３６を中央部分でくの字状に折ることにより、日除け用フード１４を折り畳むことができるようにしてある。
【００２１】
上記のような構成としてあるので、乳幼児に対して直射日光が当らないようにすると共に、虫の侵入を防ぐようにする場合は、本考案の覆いを、虫除け用覆いネット１３が日除け用フード１４と一体になった状態で使用するようにする。この場合は、先ず、上記日除け用フード１４を、ロック用治具３６を真直ぐに伸ばしてフレーム２５と２６間のフード体２７を張った状態にセットした後、虫除け用覆いネット１３を日除け用フード１４の後側から掛けて、該虫除け用覆いネット１３の中央部上端位置の面ファスナ２２を、フード体２７の表面の面ファスナ３５の任意の位置に係止させるようにする。
【００２２】
次いで、虫除け用覆いネット１３の左右両側部を、日除け用フード１４のフレーム２５部に沿わせて、図１に示す如く、素材折り返し部２０の上部で日除け用フード１４を包み込むようにする。
【００２３】
次に、日除け用フード１４の内側に一端部が縫い付けられて固定されている吊り紐３２の途中位置のホック体３４ａと３４ｂを、虫除け用覆いネット１３の左右両側部に取り付けてあるホック体２１ａと２１ｂにそれぞれ係止させて、吊り紐３２と虫除け用覆いネット１３とを留めるようにする。
【００２４】
又、上記作業と並行して、あるいは、上記作業の後、日除け用フード１４の両端部に取り付けた腰ベルト２３を、虫除け用覆いネット１３に設けたベルト通し孔２４に通して、該虫除け用覆いネット１３の素材折り返し部２０の後側へ取り出しておくようにする。
【００２５】
上記のようにして本考案の覆いが、虫除け用覆いネット１３が日除け用フード１４に組み付けられたものとなる。本考案の覆いを、乳幼児を抱いた人が使用するときは、抱っこ紐で大人に抱っこされている乳幼児の両足を虫除け用覆いネット１３のポケット１９ａ，１９ｂに入れると共に、乳幼児の両手を左右両側部の素材折り返し部２０の内側の空間部１６に入れるように装着させるようにする。
【００２６】
日除け用フード１４を所定の高さに位置させると、両端部の球状押付部材２９を大人の腰骨の上に押し当てるようにしてからループ状の吊り紐３２を首にかけて長さを調節することにより、日除け用フード１４を安定した状態で固定させることができる。しかる後、腰ベルト２３を大人の腰に回わして、腰の後ろでバックル３１を装着し、必要に応じて腰ベルト２３の長さを調節して、腰に締め付けるようにする。これにより、虫除け用覆いネット１３を大人の体に引き寄せるようにすることができ、虫除け用覆いネット１３の左右両側部の素材折り返し部２０と下側部のポケット１９ａ，１９ｂの部分を、乳幼児の体と大人の体との間に挟み込むようにすることができて、乳幼児を完全に包み込むことができる。この際、日除け用フード１４に後方へ湾曲するように折り曲げて取り付けた針金３０が、抱っこされた乳幼児の背中の外側に配置されるようにしてあるので、虫除け用覆いネット１３は、該針金３０よりも外側に位置することになり、乳幼児と虫除け用覆いネット１３との間には所要の隙間を形成して保持することができ、通気性を有する素材の虫除け用覆いネット１３を通して通気することから、乳幼児を快適な状態に置くことができる。
又、この際、日除け用フード１４は虫除け用覆いネット１３と大人との間の上方部分を塞ぐことができて日除けの機能を十分に果すことができることになる。
【００２７】
このように本考案の覆いを装着した状態において、虫除け用覆いネット１３に形成してある左右のポケット１９ａ，１９ｂにハーブを使ったポプリ等を入れておくようにすれば、防虫効果をより高めることができる。
【００２８】
本考案の覆いにおける虫除け用覆いネット１３は、乳幼児の体格の大きさに応じて、あるいは、乳幼児の成長に合わせて大きさを調整することができる。乳幼児が小さいときは、虫除け用覆いネット１３の上端部に取り付けてある面ファスナ２２を、日除け用フード１４のフード体の外表面に前後方向に長くして取り付けてある面ファスナ３５の前端側に係止させるようにして、虫除け用覆いネット１３を引き上げ、日除け用フード１４の後側のフレーム２５と虫除け用覆いネット１３の左右のポケット１９ａ，１９ｂとの間の長さを短かくするようにする。一方、乳幼児が成長して来て背が高くなったときは、日除け用フード１４の面ファスナ３５と虫除け用覆いネット１３の面ファスナ２２との係止位置を、上記面ファスナ３５の後端側へ移動させるようにする。これにより、虫除け用覆いネット１３が日除け用フード１４から垂れ下がる長さを長く調整することができる。したがって、虫除け用覆いネット１３の長さを、日除け用フード１４側の面ファスナ３５の長さ分調整することができ、１つの虫除け用覆いネット１３を長期にわたって使用することができる。
【００２９】
又、日除け用フード１４は、両端側のロック用治具３６を中央部分より折り曲げることにより、二つ折り状に折り畳むことが可能であり、使用中に折り畳むようにすれば、虫除け用覆いネット１３の上方部分を開放させることが容易にできて、乳幼児の顔を直接見るようにすることができる。又、不使用時に、日除け用フード１４を折り畳むようにすると、該日除け用フード１４をコンパクトにすることができて、虫除け用覆いネット１３とともにコンパクトに折り畳んで小さい袋にも容易に収納することができ、持ち運びを容易に行うことができるようになる。
【００３０】
なお、本考案は、上記した実施の形態のみに限定されるものではなく、たとえば、日除け用フード１４と虫除け用覆いネット１３とを一体に組み付けて用いる場合を説明したが、別体としてそれぞれ単品として使用することもできることは当然である。虫除け用覆いネット１３を単品で使用するときは、虫除け用覆いネット１３で乳幼児を包んだ後、該虫除け用覆いネット１３の上端側を大人の体に巻きつけ、ホック体２１ａと２１ｂを大人の体の後側で係止させるようにすれば、虫除けだけに使用することができる。
【００３１】
日除け用フード１４の表面と虫除け用覆いネット１３の裏面に面ファスナ３５と２２を取り付けた場合を示したが、面ファスナ３５に代えて、複数のホックの如き留め具を取り付け、面ファスナ２２に代えて、これに対応する留め具を取り付けて留めるようにしてもよい。
【００３２】
又、上記の実施の形態では、日除けと虫除け用として使用する場合を示したが、日除け用フード１４として、フード体２７にシースルー素材製のものを用いる場合において、防水性の布素材製としたものをシースルー素材製としたフード体に被せるようにして、雨除けとして使用するようにしてもよい。
【００３３】
更に、本考案の覆いは、抱っこされた乳幼児に対して用いる場合を示したが、おんぶされた乳幼児に対して使用するようにしてもよい。この際、自由端が結ばれていて大人の首にかけるようループ状にしてある吊り紐３２の輪の中に大人の足を入れて、ズボンをはくように、その足に沿わせて吊り紐３２を上方へ引き上げながら日除け用フード１４と虫除け用覆いネット１３を持ち上げるようにすれば、簡単に装着することができる。この場合は、おんぶされた乳幼児を虫除け用覆いネット１３で後方から包み込み、且つ日よけ用フード１４で上方を覆うようにした状態で、吊り紐３２に大人の両腕をたすき掛けのように通し、吊り紐３２を首の後で長さ調節することにより、抱っこした場合と同様に乳幼児を全身包み込むことができる。
【００３４】
又、以上の説明は、夏期に用いる場合について行ったが、フード体２７や覆いネット１３の素材を防寒用の素材に変えることにより、外気が冷たい冬期に用いるようにして乳幼児を外気から守るようにすることができることは勿論である。その他本考案の要旨を逸脱しない範囲内で種々変更を加え得ることは勿論である。
【図面の簡単な説明】
【００３５】
【図１】本考案の覆いの実施の一形態を示す概略背面図である。
【図２】図１に示す覆いにおける虫除け用覆いネットの概要を示す正面図である。
【図３】図１に示す覆いにおける日除け用フードの概要を示す正面図である。
【図４】図３に示す日除け用フードの背面図である。
【図５】図３に示す日除け用フードの側面図で、（イ）は展開した状態を、（ロ）は折り畳んだ状態をそれぞれ示した図である。
【図６】図１に示す本考案の覆いの使用状態の一例を示す概略図である。
【図７】従来提案されている抱っこされた乳幼児を寒さから守るようにした一例を示す図である。
【図８】従来提案されている抱っこされている乳幼児を寒さから守るようにした他の例を示すもので（イ）は正面図、（ロ）は背面図である。
【符号の説明】
【００３６】
１３  虫除け用覆いネット（覆い本体）
１４  日除け用フード（フード）
１６，１７  空間部
２１ａ，２１ｂ  ホック体（係止具）
２３  腰ベルト
２７  フード体
３０  線材
３２  吊り紐
３４ａ，３４ｂ  ホック体（係止具）
【図１】
0003115561.tif 000003
【図２】
0003115561.tif 000004
【図３】
0003115561.tif 000005
【図４】
0003115561.tif 000006
【図５】
0003115561.tif 000007
【図６】
0003115561.tif 000008
【図７】
0003115561.tif 000009
【図８】
0003115561.tif 000010